(57)【要約】【課題】  抵抗素子を内蔵することにより、開封厳禁な場所に貼着し、直接この封印シールを目視することなしに封印が解除されたことを検出することを可能とする封印シールの提供。【解決手段】  基材と、該基材の一方の面側に第１粘着層、導体層と第２粘着層が順に積層される封印シールであって、前記第１粘着層は第１領域と第２領域からなるとともに少なくともこれら一対が前記封印シールの長手方向に沿って並設されてなり、前記第２粘着層は、第３領域と第４領域からなり、前記第３領域は、前記導体層を挟んで、前記第１領域と対向する位置に配置され、前記第４領域は、前記導体層を挟んで、前記第２領域と対向する位置に配置され、前記第１領域は、前記第２領域よりも大きい粘着力を有し、前記第４領域は、前記第３領域よりも大きい粘着力を有していることを特徴とする。【選択図】  図１
2006288975.tif 000002
【特許請求の範囲】
【請求項１】
基材と、該基材の一方の面側に第１粘着層、導体層と第２粘着層が順に積層される封印シールであって、
前記第１粘着層は第１領域と第２領域からなるとともに少なくともこれら一対が前記封印シールの長手方向に沿って並設されてなり、
前記第２粘着層は、第３領域と第４領域からなり、
前記第3領域は、前記導体層を挟んで、前記第１領域と対向する位置に配置され、
前記第4領域は、前記導体層を挟んで、前記第２領域と対向する位置に配置され、
前記第１領域は、前記第２領域よりも大きい粘着力を有し、
前記第４領域は、前記第３領域よりも大きい粘着力を有していることを特徴とする封印シール。
【請求項２】
前記第１領域の粘着力と前記第４領域の粘着力が略同じであることを特徴とする請求項１記載の封印シール。
【請求項３】
前記導体層が、平面視に於いて、前記第１領域及び前記第２領域に亘る抵抗回路を形成していることを特徴とする請求項１記載の封印シール。
【請求項４】
前記抵抗回路が、通電性のインクにより形成されていることを特徴とする請求項３記載の封印シール。
【発明の詳細な説明】
【技術分野】
【０００１】
本発明は、封印シールに関し、より詳しくは、抵抗素子を内蔵することにより、開封厳禁な場所に貼着し、直接この封印シールを目視することなしに封印が解除されたことを検出することを可能とする封印シールに関する。
【背景技術】
【０００２】
従来、開封厳禁な場所、例えば、扉や箱の蓋に、該扉や箱の開封を禁止するための封印シールが知られている。
しかしながら、従来の封印シールは、溶剤を貼着面に染み込ませて丁寧に剥がすことによって痕跡を残さずに剥がすことが可能であった。このため、開封厳禁の注意を促すことはできても、実際のところ溶剤等が使用されて開封されても発見に到らない問題点を有していた。
【０００３】
このような問題点を解決するため、特許文献１に記載される如き封印シールの発明が創出されている。この特許文献１に記載される封印シールは、溶剤による不正剥離を一見して見破ることができ、且つ偽造品を印刷やカラーコピー機で容易に複製を行うことができないようにする封印シールが開示されている。
この封印シールは、上記の如き溶剤を使用した場合には、溶剤に反応して変色する溶剤反応型インク層が溶剤により変色されて、開封を通知する構成を有している。
しかしながら、このような封印シールを使用する場合には、常時封印シールを直に監視しなければならず、封印シールを数多く使用すればするほど、確実に封印されているか否かを検出する必要があるため、結局のところ煩雑な作業を生む結果となっていた。
【０００４】
特に近年、遊技場内の遊技機を許可無く開封し、遊技機の設定を無断で変更する悪質な犯罪が発生している。このため、遊技場経営者は、上記の如き封印シールを遊技機に取り付け、お客が勝手に遊技機を開封しないように設けている。
しかしながら、上記の如き封印シールでは、複数ある遊技機を一台一台店員が監視しなければならず、極めて大変で煩わしい作業であった。
また、特許文献１に開示されるような封印シールであっても、複数の遊技台を一台一台確認しなければならず、作業の軽減化には繋がらなかった。
【０００５】
上記の如き問題から、特許文献２に開示されるような遊技場管理システムが創出されている。この特許文献２に開示される遊技機管理システムは、遊技場内に設置した全ての遊技機において、入替え及び移動等を行った遊技機を、遊技場管理装置が自動的に認識することが可能であり、且つ認識させる遊技機に関する情報を任意に設定することができるシステムである。
この特許文献２に開示される発明を利用することによって、遊技機の入れ替えや移動を行った場合には効果的に通知することができたが、遊技機を閉じる蓋を勝手に開封したことを検出することができるものではなかった。
また、この特許文献２に開示される発明は、大掛かりで複雑な構成を有するシステムであるため、容易にシステムを導入することができないことも問題であった。
【０００６】
【特許文献１】特開２００３−２９６３７号公報
【特許文献２】特開２００５−７１４６号公報
【発明の開示】
【発明が解決しようとする課題】
【０００７】
本発明は、このような実情に鑑みてなされたもので、封印が解除された場合に迅速に且つ間違いなく通知することができるとともに、複数箇所の封印を行う場合であっても、使用者が各箇所を直に監視することなく、効果的に封印解除の通知を行うことのできる封印シールに関する。
【課題を解決するための手段】
【０００８】
請求項１記載の発明は、基材と、該基材の一方の面側に第１粘着層、導体層と第２粘着層が順に積層される封印シールであって、前記第１粘着層は第１領域と第２領域からなるとともに少なくともこれら一対が前記封印シールの長手方向に沿って並設されてなり、前記第２粘着層は、第３領域と第４領域からなり、前記第３領域は、前記導体層を挟んで、前記第１領域と対向する位置に配置され、前記第４領域は、前記導体層を挟んで、前記第２領域と対向する位置に配置され、前記第１領域は、前記第２領域よりも大きい粘着力を有し、前記第４領域は、前記第３領域よりも大きい粘着力を有していることを特徴とする封印シールを提供する。
【０００９】
請求項２記載の発明は、前記第１領域の粘着力と前記第４領域の粘着力が略同じであることを特徴とする請求項１記載の封印シールを提供する。
【００１０】
請求項３記載の発明は、前記導体層が、平面視に於いて、前記第１領域及び前記第２領域に亘る抵抗回路を形成していることを特徴とする請求項１記載の封印シールを提供する。
【００１１】
請求項４記載の発明は、前記抵抗回路が、通電性のインクにより形成されていることを特徴とする請求項３記載の封印シールを提供する。
これらの発明を提供することによって、上記課題を悉く解決する。
【発明の効果】
【００１２】
請求項１記載の発明によって、封印シールが導体層を挟持するように第１粘着層と第２粘着層が配置され、また、第１粘着層と第２粘着層の強い（大きい）粘着力を有する第１領域及び第４領域が交互に配されて形成されているので、封印シールが開封された際には、導体層が分断される封印シールを提供することができる。この封印シールを使用することによって、導体層に電圧を印加させておけば、封印シールが剥がされた際には、この導体層が断線することになり、迅速に開封されたことを使用者に通知することができる。
【００１３】
請求項２記載の発明によって、第１領域と第４領域の粘着力が略同じであるので、封印シールが剥ぎ取られた際に、確実に導体層を分断することができる封印シールを提供することができる。
【００１４】
請求項３記載の発明によって、導体層が抵抗回路を形成しているので、所望する抵抗値に設定することができる封印シールを提供することができる。
【００１５】
請求項４記載の発明によって、抵抗回路が通電性のインクより形成されているので、所望する長さに抵抗回路を形成することができるので、抵抗回路の抵抗値を適宜変更させて形成することができる封印シールを提供することができる。
【発明を実施するための最良の形態】
【００１６】
本発明を実施するための最良の形態を説明する。
本発明に係る封印シール（１）は、基材（２）、第１粘着層（３）、導体層（４）、第２粘着層（５）、剥離層（６）を有してなる。これらの層は、図２で示される如く、基材（２）、第１粘着層（３）、導体層（４）、第２粘着層（５）と剥離層（６）がこれらの順番で積層されている。
図１は、本発明に係る封印シールの一実施例を示す平面図であり、図２は、図１のＡ−Ａ線断面図であり、図３は図１の断面図を示し、（ａ）は図１のＢ−Ｂ線断面図であり、（ｂ）は図１のＣ−Ｃ線断面図である。尚、図３（ａ）は、第１粘着層に第１領域が存在する場所の断面図であり、図３（ｂ）は第１粘着層に第２領域が存在する場所の断面図である。
【００１７】
基材（２）は、後述する第１粘着層（３）を一方の面側に備えている。
基材（２）は、後述する第１粘着層（３）、導体層（４）、第２粘着層（５）及び剥離層（６）を保持するための強度を有することとなる。
この基材（２）の素材は、上記の如き封印シール（１）としての強度を有する素材であれば特に限定されず、例えば、ポリエチレンテレフタレート、ポリスチレン、ポリプロピレン、ポリエチレン、ポリ塩化ビニル、ナイロン、ポリアクリロニトリル、ポリエチレンナフタレート、ポリウレタン、ポリメチルメタアクリレート、ポリ塩化ビニリデン、エチレンビニルアルコール、ポリビニルアルコール、アイオノマー、ポリメチルペンテン、ポリカーボネート、ＡＢＳなどの熱可塑性樹脂を利用することが好ましい。このような熱可塑性樹脂を利用することで、容易に成型することができるからである。
この基材（２）は、後述する導体層（４）の回路を目視することができるように、透明に形成されることが好ましい。基材（２）が透明に形成されない場合には、この基材（２）の表面側に印刷を施しても構わない。
尚、この基材（２）の厚み（ｔ１）は、特に限定されるものでなく、作成者によって適宜設定される。
【００１８】
第１粘着層（３）は、上述の基材（２）と後述する導体層（４）を貼着するための粘着層を形成している。
第１粘着層（３）の厚み（ｔ２）は、特に限定されるものではなく、作成者によって適宜設定される。
この第１粘着層（３）は、図２で示される如く、封印シール（１）の長手方向に沿って、少なくとも一対の第１領域（３１）と第２領域（３２）が並設されている。尚、図２では、３対の第１領域（３１）及び第２領域（３２）が繰り返して形成されている。
第１領域（３１）は、一定の粘着力を有している。
この第１領域（３１）は、上記の如き粘着力を有する素材で形成されていれば特に限定されないが、フェノール樹脂やポリウレタン樹脂等の熱硬化性樹脂接着剤、ポリ酢酸ビニルやポリ塩化ビニル等の熱可塑性樹脂接着剤とブタジエンアクリロニトリルゴムやネオプレン等のエラストマ接着剤等を例示することができる。
第１領域（３１）の長手方向の長さ（ｄ１）は、１〜２０ｍｍが好ましく、更に好ましくは、５〜１０ｍｍに設定されることが好ましい。
この第１領域（３１）の長さ（ｄ１）は、上記の如き特に限定されるものではないが、封印シール（１）が開封された場合に、後述する導体層（４）を確実に分断することができる長さに設定される必要がある。
【００１９】
第２領域（３２）は、第１領域（３１）よりも粘着力の小さい粘着力を有している（又は粘着力を有さない）領域である。この第２領域（３２）は、上記の如き粘着力を有さないように設けても構わないが、第１領域（３１）と基材（２）を安定的に且つ確実に貼着するために、第１領域（３１）よりも小さい粘着力を有するように設けることが好ましい。
この場合の第２領域（３２）の粘着力は、第１領域（３１）よりも小さい粘着力を有していれば、特に限定されないが、封印シール（１）が剥離される場合に、第１領域（３１）と第２領域（３２）が分離して剥離するような接着力の差が設定されることになる。
い。
この第２領域（３２）は、上記の如き粘着力を有する素材で形成されていれば特に限定されないが、第２領域（３２）を形成する素材として、フェノール樹脂やポリウレタン樹脂等の熱硬化性樹脂接着剤、ポリ酢酸ビニルやポリ塩化ビニル等の熱可塑性樹脂接着剤とブタジエンアクリロニトリルゴムやネオプレン等のエラストマ接着剤等を例示することができる。
第２領域（３２）の封印シール（１）の長手方向の長さ（ｄ２）は、１〜２０ｍｍが好ましく、更に好ましくは、５〜１０ｍｍに設定されることが好ましい。
この第２領域（３２）の長さ（ｄ２）は、上記の如き特に限定されるものではないが、封印シール（１）が開封された場合に、後述する導体層（４）を確実に分断することができる長さに設定される必要がある。尚、第１領域（３１）の長さ（ｄ１）と第２領域（３２）の長さ（ｄ２）が、同じ長さに設定されることが更に好ましい。
【００２０】
第１領域（３１）及び第２領域（３２）は、図２で示す如く、封印シール（１）の長手方向に沿って繰返し並設されて、第１粘着層（３）を形成している。
【００２１】
導体層（４）は、第１粘着層（３）と第２粘着層（５）の間に挟持されるように配置される。
この導体層（４）には、図１の平面視に於いて、第１粘着層（３）の第１領域（３１）及び第２領域（３２）に亘る抵抗回路を形成している。
このように抵抗回路が形成されることによって、封印シール（１）が開封された際に、確実に分断することができるからである。
尚、この導体層（４）の厚さ（ｄ３）は、特に限定されず、作成者によって適宜設定される。
【００２２】
この導体層（４）が形成する抵抗回路（４１）は、通電性のインクにより形成されている。この通電性のインクは、通常のインクにカーボン等の電気導体体を混ぜ込んだインクである。
このように抵抗回路を封印シール（１）に描くように設けることによって、抵抗回路（４１）全体の長さを変更させることによって、抵抗回路（４１）全体の抵抗値を変更させることができる。
例えば、図１に示される抵抗回路（４１）では、抵抗回路（４１）の両端に夫々端子部（４２）が形成され、この抵抗回路（４１）の全長は、この封印シール（１）の全長約４倍（封印シール（１）の２往復分）に相当する長さに形成されている。この図１で示される抵抗回路（４１）の抵抗値よりも小さな抵抗値を得ようとすれば、この抵抗回路（４１）の全長を短く設定すればよく、大きな抵抗値を得ようとすれば、この抵抗回路（４１）の全長を長く設定するようにすることで適宜設定することができる。
尚、端子部（４２）は、抵抗回路（４１）と比して平面視における幅の長さが異なって設けられており、これら２つの端子部（４２）間に電圧が印加されることになる。
【００２３】
第２粘着層（５）は、第３領域（５１）と第４領域（５２）からなる。
この第２粘着層（５）は、図２で示される如く、第３領域（５１）と第４領域（５２）が交互に並設されて形成されている。また、第２粘着層（５）の第３領域（５１）及び第４領域（５２）は、側面視に於いて、導体層（４）を挟んで、第３領域（５１）が第１領域（３１）と対向する位置に配置され、第４領域（５２）が第２領域（３２）と対向する位置に配置されている。
第４領域（５２）は、粘着力を有するように形成されている。この第４領域（５２）の粘着力は特に限定されないが、第１領域（３１）の粘着力と略同じ粘着力を有することが好ましい。このように設定されることによって、封印シール（１）が開封された場合に、この封印シール（１）の導体層（４）を確実に分断することができるからである。
尚、この第２粘着層（５）の厚さ（ｔ４）は、特に限定されず、作成者により適宜設定される。
【００２４】
第３領域（５１）は、第４領域（５２）よりも粘着力の小さい粘着力を有する（又は粘着力を有していない）ように形成されている。この第３領域（５１）は、上記の如き粘着力を有さないように設けられても構わないが、第４領域（５２）と被貼着物に安定的に且つ確実に貼着するために、第４領域（５２）よりも小さい粘着力を有するように設けられることが好ましい。
この場合の第３領域（５１）の粘着力は、第１領域（３１）の粘着力よりも小さく且つ第２領域（３２）の粘着力と略同じになるように設定されることが好ましい。
この第３領域（５１）及び第４領域（５２）は上記の如き粘着力を有する素材で形成されていれば、その素材は特に限定されないが、第３領域（５１）や第４領域（５２）を形成する素材として、フェノール樹脂やポリウレタン樹脂等の熱硬化性樹脂接着剤、ポリ酢酸ビニルやポリ塩化ビニル等の熱可塑性樹脂接着剤とブタジエンアクリロニトリルゴムやネオプレン等のエラストマ接着剤等を例示することができる。
【００２５】
第２粘着層（５）を形成する第３領域（５１）と第４領域（５２）の長手方向の長さは、夫々導体層（４）を挟んで第２領域（３２）と第１領域（３１）に対向する位置に設けられているので、第３領域（５１）は第２領域（３２）と、第４領域（５２）は第１領域（３１）と夫々長手方向の長さが等しくなるように設けられている（図２参照）。
【００２６】
この封印シール（１）を形成する各領域の粘着力は、上記の如き粘着力の範囲に設定されているが、第１領域（３１）と第４領域（５２）が等しい粘着力を有し、第２領域（３２）と第３領域（５１）が等しい粘着力を有するとともに、第１及び第４領域（３１，５２）の粘着力よりも弱い粘着力を有するように形成されることが最も好ましい。
このように形成されることによって、封印シール（１）を貼着する被貼着物に対して確実に貼着させることができるとともに、封印シール（１）が開封された場合に確実に導体層（４）を分断することができるからである。
【００２７】
剥離層（６）は、第２粘着層（５）に貼着させて、第２粘着層（５）の粘着力をその使用まで維持させるための保護シートである。
この剥離層（６）は、上記の如き保護シートの働きを備えていれば特に限定されず、例えば、セルロース等の剥離剤を被覆した紙を利用することができる。
以上が本発明の封印シート（１）の構成の説明である。
【００２８】
次に、本発明に係る封印シート（１）の利用について説明する。
本発明の封印シート（１）を使用する場合には、まず、剥離層（６）を封印シート（１）から取り外す。
そして、使用者の所望する場所に第２粘着層（５）を貼着する。例えば、図４（ａ）で示される如き開封口（７）を封印するように貼着する。
この場合、封印シール（１）の端子部（４２）には、夫々電圧を印加するように電源から導線（図示せず）等を接続しておく。
【００２９】
次に、封印シール（１）が開封されると、図４（ｂ）と図４（ｃ）で示す如く、封印シール（１）は２つに分断されることになる。図４（ｂ）で示される部分は、基材（２）側に強い粘着力を有する第１領域（３１）が位置することになるので、導体層（４）が基材（２）側に貼着して剥ぎ取れることになる。また一方、図４（ｃ）で示される部分は、被貼着物側に粘着力を有する第４領域（５２）が位置することになるので、導体層（４）が被貼着物側に貼着して残ることになる。
つまり、粘着力が強い側に導体層（４）が残存することになり、抵抗回路（４１）を形成する導体層（４）が断線されることになる。このことにより、電圧を印加しているので、この断線を検出することによって、使用者はわざわざ封印シール（１）の状態を目視して監視しなくとも、封印シール（１）の開封を検出することができるようになる。
【００３０】
図５は、本発明に係る封印シールを使用した場合の一実施例を示している。この図５では、遊技機（８）の開封扉（８１）の開口部に封印シール（１）を貼着している。このように設けることにより、複数の遊技機（８）が設置される遊技場においても、一台一台を遊技場の係員が監視しなくとも、遊技機（８）を開封するような不正を迅速に検出することができるので、極めて効果的に監視することができる。
【図面の簡単な説明】
【００３１】
【図１】本発明に係る封印シールの一実施例を示す平面図である。
【図２】図１のＡ−Ａ線断面図である。
【図３】図１の断面図を示し、（ａ）は図１のＢ−Ｂ線断面図であり、（ｂ）は図１のＣ−Ｃ線断面図である。
【図４】（ａ）は封印シールを利用する一実施例を示し、（ｂ）及び（ｃ）は封印シールが開封された場合を示す。
【図５】本発明に係る封印シールを使用した場合の一実施例を示している。
【符号の説明】
【００３２】
１・・・・封印シール
２・・・・基材
３・・・・第１粘着層
３１・・・第１領域
３２・・・第２領域
４・・・・導体層
４１・・・抵抗回路
５・・・・第２粘着層
５１・・・第３領域
５２・・・第４領域
【図１】
2006288975.tif 000003
【図２】
2006288975.tif 000004
【図３】
2006288975.tif 000005
【図４】
2006288975.tif 000006
【図５】
2006288975.tif 000007